(57)【要約】【課題】  器具の全高が低く、設置性に優れた軟水器を提供する。【解決手段】  樹脂室１と、空気を導入する吸気バルブ１８を有する再生室２と、ノズル２２、デフューザ２３、吸引口３１を有する噴射ポンプ２１とを備え、前記噴射ポンプ２１のノズル２２側には洗浄ライン２０を、デフューザ２３側と前記樹脂室１間には洗浄ラインＡ２０ａを、吸引口３１側と前記再生室２の下部の間には再生ラインＡ９ａを接続するとともに、前記再生室２の上部には再生ライン９を接続し、前記樹脂室１には原水軟水化ライン５と、軟水ライン１５と、排水ライン１１を接続し、前記再生室２は前記樹脂室１と平行又は下方の位置に設けた。【選択図】  図１
2005052747.tif 000002
【特許請求の範囲】
【請求項１】
樹脂室（１）と、空気を導入する吸気バルブ（１８）を有する再生室（２）と、ノズル（２２）、デフューザ（２３）、吸引口（３１）を有する噴射ポンプ（２１）とを備え、前記噴射ポンプ（２１）のノズル（２２）側には洗浄ライン（２０）を、デフューザ（２３）側と前記樹脂室（１）間には洗浄ラインＡ（２０ａ）を、吸引口（３１）側と前記再生室（２）の下部の間には再生ラインＡ（９ａ）を接続するとともに、前記再生室（２）の上部には再生ライン（９）を接続し、前記樹脂室（１）には原水軟水化ライン（５）と、軟水ライン（１５）と、排水ライン（１１）を接続し、前記再生室（２）は前記樹脂室（１）と平行又は下方の位置に設けたことを特徴とする軟水器。
【請求項２】
樹脂室（１）の上部に洗浄ラインＡ（２０ａ）と、軟水ライン（１５）を接続し、樹脂室（１）の下部に原水軟水化ライン（５）と、排水ライン（１１）を接続したことを特徴とする請求項１記載の軟水器。
【請求項３】
樹脂室（１）と、空気を導入する吸気バルブ（１８）を有する再生室（２）と、ノズル（２２）、デフューザ（２３）、吸引口（３１）を有する噴射ポンプ（２１）とを備え、前記噴射ポンプ（２１）のノズル（２２）側には洗浄ライン（２０）を、デフューザ（２３）側と前記樹脂室（１）間には洗浄ラインＡ（２０ａ）と原水軟水化ラインＡ（５ａ）を、吸引口（３１）側と再生室（２）の下部の間には再生ラインＡ（９ａ）を接続するとともに、再生室（２）の上部には再生ライン（９）を、前記樹脂室（１）には軟水ライン（１５）と排水ライン（１１）を接続し、前記再生室（２）は前記樹脂室（１）と平行又は下方の位置に設けたことを特徴とする軟水器。
【発明の詳細な説明】
【技術分野】
【０００１】
本発明は、イオン交換樹脂等を用いて硬水を軟水化する軟水器に関するものである。
【背景技術】
【０００２】
従来のこの種の軟水器は、図４に示す構成になっていた。すなわち、４１は樹脂筒で、内部には所定量のイオン交換樹脂４３が収納されている。
【０００３】
樹脂筒４１の上方には原水タンク４４と塩水タンク４５が並列に設けられ、原水ライン４７と、塩水ライン４９と、原水流下ライン４２とにより樹脂筒４１と接続されている。
【０００４】
また、樹脂筒４１には軟水ライン５５とドレンライン５４が接続されている。
【０００５】
５３は電磁弁で、各ラインにそれぞれ設けられていて、この電磁弁５３を操作して通水工程、塩水再生工程、水洗工程を制御するようにしている。
【０００６】
つぎに、前記構成の軟水器の作用を説明する。まず、軟水ライン５５に通水する通水工程では、原水タンク４４の原水を原水ライン４７を通して樹脂筒４１に下部から供給して上部出口から軟水ライン５５に供給し、軟水ライン５５に通水する。
【０００７】
つぎに、塩水再生工程では、塩水タンク４５の飽和塩水と原水タンク４４の原水が塩水ライン４９と原水流下ライン４２を介して混合されて所定濃度の塩水になって樹脂筒４１の上部から内部に流下し、ドレンライン５４を介して排出されイオン交換樹脂４３が再生される。
【０００８】
つぎに、水洗工程では、原水流下ライン４２からの原水を樹脂筒４１の上部から内部に流下させ、内部の塩水を水洗しドレンライン５４を介して排出する（例えば、特許文献１参照）。
【０００９】
【特許文献１】特開平１１−１０４６３５号公報
【発明の開示】
【発明が解決しようとする課題】
【００１０】
しかしながら、上記従来の軟水器は、樹脂筒４の上方に原水タンク４４と、塩水タンク４５を並列に設け、再生用に塩水を樹脂筒４１内に流下するようにしたことにより、制御方法がかんたんで低価格な軟水器とすることができたものであるが、樹脂筒４１の上方に塩水タンク４５を設けているため軟水器の全高が高いものであり、軟水器の全高を低くして、コンパクトで設置性に優れた軟水器を提供しようとすると問題があり、全高の低いものが要望されていた。
【課題を解決するための手段】
【００１１】
上記課題を解決するため、本発明の軟水器の請求項１では樹脂室と、空気を導入する吸気バルブを有する再生室と、ノズル、デフューザ、吸引口を有する噴射ポンプとを備え、前記噴射ポンプのノズル側には洗浄ラインを、デフューザ側と前記樹脂室間には洗浄ラインＡを、吸引口側と前記再生室の下部の間には再生ラインＡを接続するとともに、前記再生室の上部には再生ラインを接続し、前記樹脂室には原水軟水化ラインと、軟水ラインと、排水ラインを接続し、前記再生室は前記樹脂室と平行又は下方の位置に設けたものである。
【００１２】
また、請求項２では樹脂室の上部に洗浄ラインＡと、軟水ラインを接続し、樹脂室の下部に原水軟水化ラインと、排水ラインを接続したものである。
【００１３】
また、請求項３では樹脂室と、空気を導入する吸気バルブを有する再生室と、ノズル、デフューザ、吸引口を有する噴射ポンプとを備え、前記噴射ポンプのノズル側には洗浄ラインを、デフューザ側と前記樹脂室間には洗浄ラインＡと原水軟水化ラインＡを、吸引口側と再生室の下部の間には再生ラインＡを接続するとともに、再生室の上部には再生ラインを、前記樹脂室には軟水ラインと排水ラインを接続し、前記再生室は前記樹脂室と平行又は下方の位置に設けたものである。
【発明の効果】
【００１４】
本発明の請求項１では、再生ラインと洗浄ラインとの間にノズルとデフューザと吸引口よりなる噴射ポンプを設け、再生運転時に満水となっている再生室内の塩水を洗浄時のエジェクター効果により排出するように構成したことにより、再生室を樹脂室と平行又は下方に設けても、再生室へリフレッシュ剤を投入するときに再生室の蓋を開けたときは、再生室の中の塩水が無くなっているため、水をこぼすことなく簡単に投入することができる。
【００１５】
また、再生室を樹脂室より低い位置に設置可能にしたので、軟水器の全高を低くできるため設置性の優れた軟水器を提供することができる。
【００１６】
また、請求項２では洗浄ラインＡと、軟水ラインは樹脂室の上部に接続し、原水軟水化ラインと、排水ラインは樹脂室の下部に接続したことにより、軟水作製時の水の流れと再生時の水の流れを逆方向にすることができるため、軟水作製時にたまった不純物が取り除き易くなり、循環系の清掃性を向上させることができる。
【００１７】
また、請求項３では噴射ポンプのノズル側に洗浄ラインを、デフューザ側と樹脂室間に洗浄ラインＡと原水軟水化ラインＡを接続したことにより、原水軟水化ラインＡの配管長を短くすることができ、コスト削減に有効である。
【発明を実施するための最良の形態】
【００１８】
以下、本発明の一実施例を図１、図２を参照して説明する。
【００１９】
図において、１は樹脂室で、水密構造の筒体状をしており、内部には室容積に対して８０％程度イオン交換樹脂１３が入っている。
【００２０】
２は再生室で、容器２５と蓋４とパッキン２４から構成され、蓋４には吸気バルブ１８が設けられている。そして、容器２５は流入する水の圧力で水が漏れないように、パッキン２４と蓋４によって水密に閉じることができる。また、再生室２の蓋４に設けられた吸気バルブ１８は、外部から空気を吸気するが排出しない逆止弁構造を成している。また、再生室２の上部には再生ライン９が、底部には再生ラインＡ９ａが接続されている。そして、この再生室２は前記樹脂室１と平行か又は下方の位置に設けてあるので、樹脂室１と再生室２を含めた全高は低いものとなっている。
【００２１】
１４はリフレッシュ剤で塩等よりなり、必要に応じて再生室２の蓋４を開けて容器２５内に投入されるものであり、前記イオン交換樹脂１３を再生するためのものである。
【００２２】
１６は原水供給コックであり、原水軟水化バルブ６と、再生バルブ１０と、洗浄バルブ１９から構成されていて、止水栓（図示せず）からの原水を受け、原水軟水化ライン５と、再生ライン９と、洗浄ライン２０とに水流を切り替えるものである。そして、この原水供給コック１６は、全閉、原水軟水化バルブ６のみ開、再生バルブ１０のみ開、洗浄バルブ１９のみ開の動作を行うことにより、原水軟水化ライン５と、再生ライン９と、洗浄ライン２０とに水流を切り替えることができるものである。
【００２３】
前記原水軟水化ライン５は、樹脂室１の下部と原水供給コック１６の原水軟水化バルブ６間を接続するものである。
【００２４】
また、原水軟水化バルブ６と、再生バルブ１０と、洗浄バルブ１９はそれぞれ適当な圧力で原水を通過せしめるように原水の圧力を適切に弱めることができるものである。
【００２５】
２１は噴出ポンプで、内部にはノズル２２とデフューザ２３と吸引口３１が設けてある。そして、ノズル２２側には洗浄バルブ１９に接続する洗浄ライン２０が、デフューザ２３側には樹脂室１の上部に接続する洗浄ラインＡ２０ａが、吸引口３１側には再生室２の下部に接続する再生ラインＡ９ａが夫々接続されている。
【００２６】
１７は放出コックであり、軟水バルブ７と、排水バルブ１２から構成されていて、樹脂室１の上部に接続した軟水ライン１５と、樹脂室１の下部に接続した排水ライン１１と、放出ライン８が接続されている。そして、この放出コック１７は、全閉、軟水バルブ７のみ開、排水バルブ１２のみ開の動作を行うことができ、軟水ライン１５からの軟水を放出ライン８に流したり、排水ライン１１からの排水を放出ライン８に流したりすることができるものである。
【００２７】
つぎに、前記構成の軟水器の作用について説明する。
【００２８】
まず、原水を軟水化するには、放出コック１７の軟水バルブ７を開き、次に原水供給コック１６の原水軟水化バルブ６を開ける。そうすると、原水は１０リットル／分程度の流量で原水軟水化ライン５を通って樹脂室１の下方から樹脂室１内に入り、イオン交換樹脂１３を上に舞い上げながらカルシウム、マグネシウムをナトリウムに置換し、置換された原水は軟水化して樹脂室１の上部から軟水ライン１５を通り、放出コック１７の軟水バルブ７を経て放出ライン８から放出される。
【００２９】
そして、このとき、原水軟水化バルブ６は減圧弁の機能を有していて、原水の圧力を適度の圧力に変えて樹脂室１に送るようにしている。
【００３０】
そして、軟水の放出を止めるには、軟水バルブ７または原水軟水化バルブ６を閉じれば軟水の放出は止まるが、通常はこの両方のバルブ６、７を閉じて軟水の放出を止める。
【００３１】
つぎに、イオン交換樹脂１３を再生する場合は、排水バルブ１２を開き、続いて、再生ライン９の再生バルブ１０を開くと、低い圧力の１リットル／分程度の流量で再生ライン９を通り再生室２の上部から内部に原水が流れ込み、内部のリフレッシュ剤１４の塩が溶けた塩水が再生室２の下部から再生ラインＡ９ａと、噴射ポンプ２１と、洗浄ラインＡ２０ａを通り樹脂室１に移動を開始する。
【００３２】
そして、このとき、再生バルブ１０は減圧弁の機能を有しており、原水の圧力を適度の圧力に変えて樹脂室１に送るようにしている。
【００３３】
樹脂室１に入った塩水はイオン交換樹脂１３の再生を行い、樹脂室１の下方から排水ライン１１を通り、排水バルブ１２を通過して放出ライン８から放出される。このとき、樹脂室１内の水の流れを軟水作製時の原水の流れ方向とは逆にすることにより、軟水作製時にたまった不純物を取り除き易くして、循環系の清掃性を向上するようにしている。
【００３４】
また、このとき、再生用の原水の圧力を減圧して水の移動をゆっくりと行うことによりイオン交換樹脂１３の再生率を向上させている。そして、この作業はイオン交換樹脂１３の量に応じた時間で終了するようにしている。
【００３５】
つぎに、再生作業終了時にイオン交換樹脂１３に付着した余分な塩水や、排水ライン１１、排水バルブ１２、放出ライン８などに残った塩分を除去するために、洗浄作業を行う。
【００３６】
洗浄作業は再生バルブ１０を閉じ、洗浄バルブ１９を開き、１５リットル／分程度の大きな流量の原水を噴射ポンプ２１を経て樹脂室1に流入させ、イオン交換樹脂１３に付着した余分な塩水やゴミを洗い流し、さらに、排水ライン１１、排水バルブ１２、放出ライン８も洗浄しつつ放出ライン８から放出する。そして、この洗浄作業の時間は機器の構成によって異なる時間で終了するようにしている。
【００３７】
また、このとき、噴出ポンプ２１が作用し、噴出ポンプ２１を通過するときに原水はノズル２２で加速しデフューザ２３で減速される為、両者の間に挿入された吸引口３１はエジェクター効果により減圧され、この吸引口３１に再生ラインＡ９ａを通して接続された再生室２は負圧となり、吸気バルブ１８が負圧分だけ空気を吸いこみ、時間の経過と共に再生室２内の塩水が樹脂室１に原水とともに送り込まれ、ついには再生室２内の塩水が無くなり空気で満たされるようになる。その後、原水供給コック１６を全て閉じ、続いて放出コック１７も全て閉じて終了する。
【００３８】
つぎに、次回のイオン交換樹脂１３を再生するためのリフレッシュ剤１４を、再生室２の蓋４を開けてリフレッシュ剤投入口３から所定量投入し、蓋４を閉めて終了する。
【００３９】
このように、再生ライン９と洗浄ライン２０との間にノズル２２とデフューザ２３と吸引口３１よりなる噴射ポンプ２１を設け、再生運転時に満水となっている再生室２内の塩水を洗浄時のエジェクター効果により排出するように構成したことにより、再生室２を樹脂室１と平行又は下方に設けても、再生室２へリフレッシュ剤１４を投入するときに再生室２の蓋４を開けたときは、再生室２の中の塩水が無くなっているため、水をこぼすことなく簡単に投入することができる。
【００４０】
また、再生室２を樹脂室１より低い位置に設置可能にしたので、軟水器の全高を低くできるため設置性の優れた軟水器を提供することができる。
【００４１】
本発明の他の実施例を図３を参照して説明する。
【００４２】
図３は、図１の洗浄ライン２０を原水軟水化ライン５と兼用して、原水軟水化ライン５の配管長を短くすることによりコスト削減しようとするものである。
【００４３】
図３において図１と異なる点は、噴出ポンプ２１のデフューザ２３側の一方には原水軟水化バルブＡ６ａと原水軟水化ラインＡ５ａを介して樹脂室１の下部に接続し、他方には再生バルブＡ１０ａと洗浄ラインＡ２０ａを介して樹脂室１の上部に接続している点である。
【００４４】
以上のような構成に於いて、原水を軟水化するときは、洗浄バルブ１９と、原水軟水化バルブＡ６ａを開け、原水を樹脂室１に流入させる。また、イオン交換樹脂１３を再生するときは、再生バルブ１０と、再生バルブＡ１０ａを開け塩水を樹脂室１に流入させる。そして、洗浄作業を行うときは、洗浄バルブ１９と再生バルブＡ１０ａを開け洗浄作業を行うとともに、再生室２内の塩水を噴射ポンプ２１のエジェクター効果により吸い出すようにする。
【００４５】
このように、噴射ポンプ２１のノズル２２側に洗浄ライン２０を、デフューザ２３側と樹脂室１間に洗浄ラインＡ２０ａと原水軟水化ラインＡ５ａを接続し洗浄ライン２０を原水軟水化ライン５と兼用することにより、原水軟水化ラインＡ５ａの配管長を短くすることができるため、コスト削減に有効である。
【図面の簡単な説明】
【００４６】
【図１】本発明の一実施例を示す軟水器の概略説明図である。
【図２】同じく再生室と噴射ポンプの要部断面図である。
【図３】他の実施例を示す軟水器の概略説明図である。
【図４】従来例を示す軟水器の概略説明図である。
【符号の説明】
【００４７】
１  樹脂室
２  再生室
５  原水軟水化ライン
５ａ  原水軟水化ラインＡ
９  再生ライン
９ａ  再生ラインＡ
１１  排水ライン
１５  軟水ライン
１８  吸気バルブ
２０  洗浄ライン
２０ａ  洗浄ラインＡ
２１  噴射ポンプ
２２  ノズル
２３  デフューザ
３１  吸引口
【図１】
2005052747.tif 000003
【図２】
2005052747.tif 000004
【図３】
2005052747.tif 000005
【図４】
2005052747.tif 000006